(57)【要約】【課題】操作性を低下させずに記録媒体の癖を押さえつつ用紙の搬送を行う。【解決手段】原稿の前縁に接触することで、原稿の差し込み位置を規制する規制片１５１、および回転することで原稿の上面に対向してそこを押さえる円周１５２を備えるとともに、回転により規制片１５１を原稿の前縁から退避させる規制部材１５０を備えている。送り込みロール１１１が回転すると、アーム部１３１が規制部材１５０から外れ、搬送される原稿の上面を円周１５２が押さえて原稿の癖を修正する。原稿のセット時は、円周１５２が原稿から離れるので、操作性が低下しない。【選択図】図１
2009280343.tif 000002
【特許請求の範囲】
【請求項１】
シートの差し込み位置を規制する規制部と、
搬送されるシートの上面を規定する規定部と、を有し、
前記規制部による差し込み位置の規制の解除後に、前記規定部を前記シートに対向させることを特徴とするシート搬送装置。
【請求項２】
前記シートを搬送する搬送機構を有し、
前記搬送機構は、シート搬送位置とシート設置位置との間で移動可能に構成され、
前記搬送機構がシート設置位置に位置する際には、前記規制部による差し込み位置の規制を解除しない請求項１に記載のシート搬送装置。
【請求項３】
前記搬送機構が前記シート搬送位置に近付く際に、前記規制部による差し込み位置の規制解除を許容する請求項２に記載のシート搬送装置。
【請求項４】
前記規制部と前記規定部とを有する規制部材を備えた請求項１乃至３のいずれかに記載のシート搬送装置。
【請求項５】
前記規制部材は回転可能に構成され、
前記規制部材の回転によって、前記規制部は差し込み位置の規制を解除するとともに、前記規定部を前記シートに対向させる請求項４に記載のシート搬送装置。
【請求項６】
前記規制部が前記シートの差し込み位置を規制した状態において、
前記規定部と前記シートとの間には、所定の隙間寸法が確保されていることを特徴とする請求項１乃至５のいずれかに記載のシート搬送装置。
【請求項７】
請求項１乃至６のいずれかに記載のシート搬送装置を有する画像処理装置。
【発明の詳細な説明】
【技術分野】
【０００１】
本発明は、シート搬送装置および画像処理装置に関する。
【背景技術】
【０００２】
シートの一種である原稿を連続的に装置に取り込む原稿搬送装置を備えた画像読み取り装置が知られている。この原稿搬送装置は、配置した原稿の束の位置決めを行うための部材を備えている。この技術に関しては、例えば特許文献１や２に記載されている。
【０００３】
【特許文献１】特開平６−２６３２９０号公報（要約書）
【特許文献２】特開２００４−２５０１５２号公報（要約書）
【発明の開示】
【発明が解決しようとする課題】
【０００４】
ところで、シート搬送装置によって装置本体内に搬送されるシートに湾曲した癖がついていると、シートが正常に装置内に搬送されないという問題が発生する場合がある。この問題に対応するために、シートの癖を押さえ付ける押さえ部材が設けられている。一般的にこの押さえ部材は、シートが設置される面（設置面）にシートを押さえることで、癖を一時的に矯正しつつシートの搬送が行われるように工夫されている。
【０００５】
しかしながら、この押さえ部材は、シートを設置面に向かって押さえる力を加える部材であるので、シートを設置面上に置く際に、障害や抵抗となり、シートを設置する際の操作性を損なう要因となる。この問題を緩和する方法として、押さえ部材の押さえ付ける力を弱める方法が考えられる。しかしながらそうすると、シートが厚紙の場合のように癖を押さえるのに力がいる場合に、シートを押さえ付ける能力が足りなくなる。この点は、画像読み取り装置に限らず、画像の複写装置やＦＡＸ装置等においても同様に言える。
【０００６】
このような背景において、本発明は、操作性を低下させず、シートの癖を押さえ付けつつシートの搬送を行える仕組みを提供することを目的とする。
【課題を解決するための手段】
【０００７】
請求項１に記載の発明は、シートの差し込み位置を規制する規制部と、搬送されるシートの上面を規定する規定部と、を有し、前記規制部による差し込み位置の規制の解除後に、前記規定部を前記シートに対向させることを特徴とするシート搬送装置。
【０００８】
請求項２に記載の発明は、請求項１に記載の発明において、シートを搬送する搬送機構を有し、搬送機構は、シート搬送位置とシート設置位置との間で移動可能に構成され、搬送機構がシート設置位置に位置する際には、規制部による差し込み位置の規制を解除しないことを特徴とする。
【０００９】
請求項３に記載の発明は、請求項２に記載の発明において、搬送機構が前記シート搬送位置に近付く際に、規制部による差し込み位置の規制解除を許容することを特徴とする。
【００１０】
請求項４に記載の発明は、請求項１乃至３に記載の発明において、規制部と規定部とを有する規制部材を備えたことを特徴とする。
【００１１】
請求項５に記載の発明は、請求項４に記載の発明において、規制部材は回転可能に構成され、規制部材の回転によって、規制部は差し込み位置の規制を解除するとともに、規定部を前記シートに対向させることを特徴とする。
【００１２】
請求項６に記載の発明は、請求項１乃至５に記載の発明において、規制部がシートの差し込み位置を規制した状態において、規定部とシートとの間には、所定の隙間寸法が確保されていることを特徴とする。
【００１３】
請求項７に記載の発明は、請求項１乃至６に記載のシート搬送装置を有する画像処理装置である。
【発明の効果】
【００１４】
請求項１に記載の発明によれば、シートを差し込む際には、規定部がシートに対向していないので、シートの設置操作性が低下しない。このため、操作性を低下させず、シートの癖を押さえ付けつつシートの搬送を行える仕組みが提供される。
【００１５】
請求項２に記載の発明によれば、搬送機構がシート設置位置に位置する際には、規制部による差し込み位置の規制を解除しないので、規定部がシートに対向せず、シートの設置操作性が低下しない。
【００１６】
請求項３に記載の発明によれば、搬送機構がシート搬送位置に近付く際に、規制部による差し込み位置の規制解除を許容するので、規定部がシートに対向するようになり、シートの搬送性が向上する。
【００１７】
請求項４に記載の発明によれば、規制部材が規制部と規定部とを有するので、シート搬送装置を小型化することができる。
【００１８】
請求項５に記載の発明によれば、規制部材が回転するだけで、規制部による規制解除と規定部をシートに対向させることができる。
【００１９】
請求項６に記載の発明によれば、所定の隙間寸法が確保されているので、シートの設置作業性が低下しない。また、癖の強いシートに対しては、シートを上方から押さえることができる。
【００２０】
請求項７に記載の発明によれば、請求項１乃至６に記載のシート搬送装置を備えた画像処理装置が得られる。
【発明を実施するための最良の形態】
【００２１】
（１）第１の実施形態
（用紙搬送装置の構成）
図１は、シート搬送装置の一例である原稿搬送装置の概要を示す斜視図である。図１に示す原稿搬送装置は、例えば、紙に描かれた画像を電子的に読み取り、画像データに変換する画像読み取り装置（所謂画像スキャナー装置）内に原稿を搬送させて取り込む装置である。ここで原稿というのは、シートの一例であり、文字や画像情報が印刷や手書きされた紙やＯＨＰ用紙のことをいう。なお、画像読み取り装置は、画像処理装置の一例である。
【００２２】
図１には、画像読み取り装置本体の上部に位置する原稿搬送装置１００が示されている。原稿搬送装置１００は図示省略した画像読み取り装置の外側筐体を構成するカバー部材の内側に収められている。図１では、原稿搬送装置１００の詳細を示すために、このカバー部材は図示省略されている。
【００２３】
原稿搬送装置１００は、支持部材であるフレーム１０２に各種の部材が取り付けられた構造とされている。このフレーム１０２は、上述した図示省略したカバー部材の内側に、駆動軸１０４を介して回転可能な状態で取り付けられている。フレーム１０２は、トルクリミッタ１０３を介して、駆動軸１０４に取り付けられている。駆動軸１０４は、図示省略した駆動モータにより回転する。駆動軸１０４が回転すると、トルクリミッタ１０３を介して、駆動軸１０４を回転軸としてフレーム１０２を回転させる力が働く。この力により、フレーム１０２は、駆動軸１０４を軸とした符号１２０の矢印により示される回転移動を行う。
【００２４】
トルクリミッタ１０３は、コイルバネを用いたもので、加わるトルクが所定の値を超えると、駆動軸１０４からその所定のトルクを伝達しつつ、フレーム１０２に対して駆動軸１０４を空転させる。この構造によれば、駆動軸１０４の回転に伴い回転したフレーム１０２が、他の部材等に接触し、それ以上回転できなくなると、トルクリミッタ１０３の機能により、フレーム１０２に所定の回転トルクが加わりつつ、フレーム１０２はそれ以上回転せず、駆動軸１０４がフレーム１０２に対して回転する。
【００２５】
駆動軸１０４には、搬送機構の一部である原稿搬送ロール１０５がワンウェイクラッチ１２１を介して取り付けられている。ワンウェイクラッチ１２１は、コイルバネを用いたもので、ある方向の回転力は伝達するが、それと逆方向の回転力は伝達しない機構を有する。原稿搬送ロール１０５は、表面がゴムで被覆され、原稿の表面に接触した状態で回転すること、原稿を搬送する。
【００２６】
駆動軸１０４には、伝達ギア１０６が固定されており、この伝達ギア１０６に伝達ギア１０７が噛み合っている。この伝達ギア１０７には、図示しない伝達ギアが噛み合い、更にこの図示しない伝達ギアに伝達ギア１０８が噛み合っている。伝達ギア１０７、１０８および図示しない伝達ギアは、フレーム１０２に回転自在な状態で取り付けられている。伝達ギア１０８は、フレーム１０２に回転自在な状態で取り付けられた回転軸１０９に固定された伝達ギア１１０に噛み合っている。
【００２７】
回転軸１０９には、原稿搬送ロール１０５と共に搬送機構を構成する送り込みロール１１１が、ワンウェイクラッチ１２２を介して取り付けられている。ワンウェイクラッチ１２２は、ワンウェイクラッチ１２１と同じものである。
【００２８】
回転軸１０９には、回転防止部材１３０および１４０が取り付けられている。この取り付け部分は、樹脂製の断面がＣ型の部材が回転軸１０９に対して、独立して回転するように挿入されている。この構造により、回転軸１０９を回転させても、回転防止部材１３０および１４０は、回転軸１０９と共に回転しない。
【００２９】
回転防止部材１３０は、回転する軸から放射方向に延びるアーム部１３１を備えている。アーム部１３１の先端は、規制部材１５０の壁部１５３に突き当たって接触可能とされている（図では、接触した状態が示されている）。
【００３０】
規制部材１５０は軸１５４を備え、この軸１５４が図１では図示省略されている原稿搬送装置１００の上方を覆う画像読み取り装置の筐体側に回転可能な状態で取り付けられている。軸１５４には、図示省略したコイルバネが装着され、規制部材１５０が、Ｙ軸正方向に見て反時計回り方向にバネの反発力を受けた状態とされている。この構造によれば、規制部材１５０をＹ軸正方向に見て時計回り方向に回すと、上記のバネの反発力で規制部材１５０が元に戻る回転動作を行う。コイルバネを用いずとも、規制部材１５０の重量配分を調整することで、自重で回転して図２（Ａ）の位置に戻るよう構成してもよい。また、規制部材１５０は、規制部の一例である規制片１５１と、規定部の一例である円周１５２を備え、円周を構成するフランジ部を繋ぐ形で壁部１５３を備えている。
【００３１】
図１に示す状態では、壁部１５３にアーム部１３１の先端が接触しているので、規制部材１５０は、それ以上Ｙ軸正方向に向かって見て時計回り方向に回転できない。この際、規制片１５１が下方に伸びているので、それが原稿のストッパとなる。すなわち、Ｘ軸正方向からそれ以上原稿を差し込めず、原稿のＸ軸方向における位置決めが行われる。以上の構造は、反対側においても同様である。すなわち、回転防止部材１４０は、回転防止部材１３０と同様な構造を有し、そのアーム部１４１の先端が、規制部材１６０に接触している。規制部材１６０の詳しい構造および機能は、規制部材１５０と同じである。
【００３２】
図１に示す状態において、送り込みロール１１１は、原稿セット面１０１から離れており、その間に原稿を最大セット枚数でセットしても送り込みロール１１１と原稿の最上面とは接触しない状態とされている。以上説明した図１の状態が、読み取る原稿をセットする前の段階である。
【００３３】
（画像読み取り装置の概要）
図２は、画像読み取り装置の原稿搬送装置を備えた部分を拡大した概念図であり、図１のＹ軸正方向に向かって見た視点からの概要が示されている。図２では、画像を光学的に読み取る機構については図示省略されている。図２（Ａ）には、原稿セット面１０１に原稿をある枚数重ねた原稿束３００をセットしつつある状態が示されている。また、図２（Ｂ）には、図２（Ａ）の状態からさらに原稿束３００を装置に押し込み、それ以上原稿束３００を押し込めない状態が示されている。この図２（Ｂ）に示す状態は、原稿を設置した状態である。この状態における原稿搬送ロール１０５および送り込みロール１１１により構成される搬送機構の位置が、シート設置位置の一例である。
【００３４】
また、図２（Ｃ）には、画像の読み取り動作が開始され、原稿の装置内への搬送が行われつつある状態が示されている。この図２（Ｃ）に示す状態は、原稿を搬送する状態である。この状態における原稿搬送ロール１０５および送り込みロール１１１により構成される搬送機構の位置が、シート搬送位置の一例である。なお、原稿束３００というのは、原稿を複数枚重ねて束ねたもののことをいう。
【００３５】
図２には、画像読み取り装置２００の上部の筐体２０１（カバー部材）が示されている。この筐体２０１は、筐体側フレーム２０２を備え、この筐体側フレーム２０２に駆動軸１０４が回転自在な状態で支持されている。すなわち、図１に示す原稿搬送装置１００は、駆動軸１０４を介して、筐体側フレーム２０２に回転可能な状態で取り付けられている。
【００３６】
（原稿搬送装置の動作）
以下、図１に示す原稿搬送装置１００の動作の概要を説明する。なお、以下の説明では、回転防止部材１３０と規制部材１５０との関係を例に挙げ説明を行うが、図１に示す回転防止部材１４０と規制部材１６０との間においても同様な動作が行われる。
【００３７】
まず、図２（Ａ）では、送り込みローラ１１１は、図１と同じ位置にあり、送り込みローラ１１１と原稿セット面１０１との間には、原稿の最大セット枚数の厚み＋αの間隔が確保されている。この状態において、原稿束３００が原稿セット面１０１上にセットされる。図２（Ａ）には、この過程が示されている。
【００３８】
規制部材１５０の軸１５４には、図示省略したコイルバネが装着され、規制部材１５０は反時計回り方向にこのコイルバネの力で押されている。このため、図２（Ａ）に示すように、原稿束３００を奧まで差し込む前の段階では、規制部材１５０の壁部１５３の位置が、回転防止部材１３０のアーム１３１の先端に接触する位置から少し反時計回り方向に回転した位置となる。
【００３９】
この状態において原稿束３００が、画像読み取り装置２００にセットされると、まず原稿束３００の前縁が規制片１５１に接触する。この状態が図２（Ａ）に示されている。この状態からさらに原稿束３００を図のＸ軸負の方向に押し込むと、原稿束３００の前縁に押されて規制片１５１が図２（Ａ）の位置からさらに左方向に動き、規制部材１５０が図の時計回り方向に回転する。この回転がある程度進んだところで、規制部材１５０の壁部１５３がアーム部１３１の先端に図の左側から接触し、それ以上、規制部材１５０が、図の時計回り方向に回転できなくなる。こうして図２（Ｂ）に示す状態となる。
【００４０】
この図２（Ｂ）に示す状態が、原稿束３００をそれ以上画像読み取り装置２００に押し込めなくなった状態である。こうして、規制片１５１によって原稿束３００の前縁が押さえられ、原稿束３００のＸ軸方向における位置決め（つまり位置の規制）が行われ、原稿が装置にセットされた状態となる。図２（Ｂ）に示す状態において、原稿３０１（あるいは原稿束３００）に反りやうねり等の変形の癖が無ければ、原稿束３００の上面と規制部材１５０の円周１５２との間には、隙間が確保される。このため、原稿束３００を押し込んでセットする際に、原稿束３００が受ける抵抗が抑えられる。またこの状態において、原稿３０１（あるいは原稿束３００）に強い反りやうねり等の変形の癖がある場合、円周１５２の端の部分が原稿束３０１上面の癖の部分に接触し、そこを上から押さえる機能が得られる。
【００４１】
次ぎに、図示省略された画像読み取り装置２００の画像読み取り動作を開始するスイッチが操作者によって押されると、原稿束３００に含まれる原稿の画像の読み取り処理が開始される。画像の読み取り処理が開始されると、駆動軸１０４が図示省略した駆動モータにより図２における時計回り方向に回転する。
【００４２】
駆動軸１０４が時計回り方向に回転すると、図１のトルクリミッタ１０３の作用により、フレーム１０２が駆動軸１０４を回転中心として、図２の時計回り方向に回転する。この回転が進み、送り込みローラ１１１が原稿束３００の上面に接触すると、トルクリミッタ１０３の作用により、それ以上フレーム１０２が回転しなくなり、送り込みローラ１１１（フレーム１０２）が原稿束３００に押し付けられた状態で、駆動軸１０４が回転する状態となる。この際、図１のトルクリミッタ１０３の機能により、送り込みローラ１１１は、原稿束３００をその上面から所定の圧力で押す状態となる。
【００４３】
この際、フレーム１０２が図２の時計回りに回転することで、アーム部１３１が上部の筐体２０１に設けられた突起２０４によって、図２（Ｂ）→図２（Ｃ）に示すように時計回り方向に回転し、押し上げられる。この結果、アーム部１３１が規制部材１５０の壁部１５３から上方に離れ、規制部材１５０が、図２（Ｂ）に示す状態からさらに時計回り方向に回転することが可能な状態となる。
【００４４】
上記アーム部１３１の時計回り方向への回転と同時に、送り込みローラ１１１も回転軸１０９の回転により時計回り方向に回転する。そして、送り込みローラ１１１が原稿束３００に接触した段階で、原稿束３００の最上部の原稿が送り込みローラ１１１によって図２のＸ軸負方向に送り込まれる。この際、回転防止部材１３０のアーム部１３１は、規制部材１５０の壁部１５３から離れているので、規制片１５１がＸ軸負方向に送り込まれる原稿３０１の前縁により図の左方向に押され、規制部材１５０は、図の時計回り方向に回転する。この結果、規制部材１５０の円周１５２が、原稿束３００の最上面に対向する。この状態が、図２（Ｃ）に示されている。この際、原稿３０１は、円周１５２によって上面位置が規定されつつ図の左方向に搬送される。このため、原稿３０１（あるいは原稿束３００）に反りやうねり等の変形の癖があったとしても、原稿３０１の上面位置を規定しつつ、原稿３０１の搬送が行われる。この際、円周１５２が所定の距離にわたって回転しつつ原稿３０１の上面位置を規定することが可能であるので、原稿３０１の搬送途中において、上述した上面位置を規定する機能を継続して発揮させることができる。
【００４５】
送り込みロール１１１が更に時計回り方向に回転すると、原稿３０１が更に図２（Ｃ）の状態から図の左方向に移動し、原稿搬送ロール１０５の部分に到る。円周１５２の壁部１５３に近い部分は、その半径がやや小さくなるように調整されている。このため、原稿３０１が原稿搬送ロール１０５の部分に到る段階で、原稿３０１から円周１５２は離れることができる。
【００４６】
原稿３０１が、原稿搬送ロール１０５の部分に到ると、原稿３０１は、原稿搬送ロール１０５とパッド２０３との間に挟まれる。この際、原稿間の摩擦力、原稿と原稿搬送ロール１０５との間の摩擦力、パッド２０３と原稿との間の摩擦力の違いにより、原稿３０１が下の原稿と重なっていても、最上面の原稿３０１だけが選択され、さらに図の左方向に搬送される。原稿搬送ロール１０５により図の左方向に搬送された原稿３０１は、図示省略した画像読み取り部に送られ、光学的なスキャニングによる画像の読み取りが行われる。
【００４７】
原稿３０１が、下流に位置する図示しない次の原稿搬送ロールに到達したタイミングで、駆動軸１０４の図の時計回り方向への回転を停止させる。そして、原稿３０１の後端が原稿搬送ロール１５０を抜けたタイミングで、駆動軸１０４を逆方向に回転させる。この際、図１のトルクリミッタ１０３の作用により、送り込みロール１１１は、図２（Ｃ）に示す状態から上に持ち上がり、図２（Ｂ）に示す状態に戻る。また、規制部材１５０は、図示省略したコイルバネの作用により、反時計回り方向に回転し、図２（Ｂ）に示す状態に戻る。またこの際、アーム部１３１と突起２０４との係合が解除され、アーム部１３１は自重で反時計回りに回転し、図２（Ｃ）に示す位置から図２（Ｂ）に示す位置に戻る。
【００４８】
次ぎに駆動軸１０４を再び時計回り方向に回転させると、図２（Ｂ）→（Ｃ）の動作が再び行われ、原稿束３００の最上面に露出した次の原稿を装置内に搬送するための動作が行われる。以上の動作を繰り返すことで、原稿束３００に含まれる原稿が１枚ずつ画像読み取り装置２００の内部に送り込まれる。
【００４９】
なお、ここでは、原稿を複数枚重ねた原稿束３００を画像読み取り装置２００にセットした場合を例に挙げて、動作の一例の説明を行ったが、セットされる原稿は１枚であってもよい。
【００５０】
（まとめ）
以上例示した構成では、規制部材１５０は、原稿束３００の前縁に接触することで、原稿束３００の差し込み位置を規制する規制片１５１、および回転することで原稿束３００の上面に対向してそこを規定する円周１５２を備え、回転により規制片１５１を原稿束３００の前縁から退避させる。
【００５１】
また、原稿束３００に接触し、この原稿束３００を搬送するための搬送機構を構成する原稿搬送ロール１０５と送り込みロール１１１を備えた支持部材であるフレーム１０２を備えている。さらに、原稿搬送ロール１０５と送り込みロール１１１を原稿束３００に対して近づけまたは遠ざける搬送機構移動装置として機能する駆動軸１０４を備えている。また、フレーム１０２に対して回転可能であり、規制部材１５０に接触することで、規制部材１５０の回転を防止し、且つ、搬送機構である原稿搬送ロール１０５および送り込みロール１１１が原稿束３００に近付いた際に突起２０４と連係して回転し、規制部材１５０に接触した状態から動き、規制部材１５０の回転を許容する回転防止部材１３０を備えている。
【００５２】
すなわち、以上例示した構成では、原稿の差し込み位置を規制する規制部である規制片１５１と、搬送される原稿の上面を規定する規定部である円周１５２と、を有し、規制片１５１による差し込み位置の規制の解除後に、円周１５２を原稿に対向させる構成としている。またこれに加えて、原稿を搬送する搬送機構として原稿搬送ロール１０５と送り込みロール１１１を有し、この搬送機構は、図２（Ｃ）に例示する原稿搬送位置と、図２（Ｂ）に例示するシート設置位置との間で移動可能とされている。さらに、この搬送機構がシート設置位置に位置する際には、アーム部１３１が規制部材１５０の壁部１５３に接触することで、規制部材１５０の回転が許容されず、規制片１５１による原稿の差し込み位置の規制を解除しない構成とされている。
【００５３】
また、原稿搬送ロール１０５と送り込みロール１１１を備えた搬送機構が、図２（Ｃ）に示す原稿搬送位置に近付く際に、アーム部１３１が回転してアーム部１３１が壁部１５３から上方に外れ、それにより規制部材１５０の回転が許容され、規制片１５１による差し込み位置の規制解除を許容する構成とされている。
【００５４】
（２）第２の実施形態（画像読み取り装置の一例）
次ぎに本発明を利用した記録媒体搬送装置を備えた画像読み取り装置（スキャナー装置）の一例を説明する。図３は、画像読み取り装置の一例を示す概念図である。図３には、画像読み取り装置４００が示されている。
【００５５】
画像読み取り装置４００は、原稿を配置（セット）する平坦面を備えた原稿配置用部材４０１と、原稿配置用部材４０１にセットされた原稿を装置内に搬送するための原稿搬送装置１００を備えている。原稿搬送装置１００の構成および動作は、図１に関連して説明した内容と同じである。
【００５６】
原稿搬送装置１００の機能により、装置内に搬送された原稿は、搬送ロール機構４０２を介して、搬送経路４０３に引き込まれ、そこを搬送される。この搬送経路４０３の途中で、線状の領域を撮像するための光学系４０４を介して、ＣＣＤカメラ４０５によって、原稿が走査されつつ撮像される。ＣＣＤカメラ４０５は、撮像した画像のデータ信号を、画像データ作成回路４０６に出力する。画像データ作成回路４０６は、ＣＣＤカメラ４０５から出力されるデータ信号に基づいて、所定のデータ形式の画像データを作成し、それをインターフェース回路４０７に出力する。インターフェース回路４０７は、入力された画像データを画像読み取り装置４００に接続された回線（例えば、ＵＳＢ規格の回線やＬＡＮ回線）の規格に応じた画像データ信号に変換し、それを装置の外部に出力する。
【００５７】
（３）第３の実施形態（複合機の一例）
次ぎに本発明の記録媒体搬送装置を備え、複数の機能を有する画像処理装置の一例を説明する。ここでは、複写（コピー）、ＦＡＸ、印刷（プリント）の３つの機能を備えた画像処理装置の一例を説明する。このような画像処理装置は、複数の機能を複合して備えているので、複合機と称されている。図４は、複合機の一例を示す概念図である。図４には、複合機５００が示されている。
【００５８】
複合機５００は、原稿または印刷用紙を配置（セット）する平坦面を備えた原稿および印刷用紙配置用部材５０１と、原稿または印刷配置用部材５０１にセットされた原稿または印刷用紙を装置内に搬送するための搬送装置６００を備えている。原稿搬送装置６００の構成および動作は、図１の原稿搬送装置１００に関連して説明した内容と同じである。
【００５９】
搬送装置６００の機能により、装置内に搬送された原稿は、搬送ロール機構５０２を介して、装置内を搬送され、さらに搬送経路５０３または５０４を搬送される。搬送経路５０３は、原稿上の画像の読み取りを行う場合の搬送経路であり、搬送経路５０４は、搬送された印刷用紙に画像の形成（印刷）を行う場合の搬送の経路である。なお、図では、２つの搬送経路を使い分ける機構については図示省略されている。
【００６０】
搬送経路５０３の途中には、線状の領域を撮像するための光学系５０５が配置されている。この光学系５０５を利用して、ＣＣＤカメラ５０６によって、原稿が走査されつつ撮像される。ＣＣＤカメラ５０６は、撮像した画像のデータ信号を、画像データ作成回路５０７に出力する。画像データ作成回路５０７は、ＣＣＤカメラ５０６から出力されるデータ信号に基づいて、所定のデータ形式の画像データを作成する。この画像データは、インターフェース回路５２０を介して画像形成部制御回路５０８またはＦＡＸ送受信部５０９に送られる。なお、画像が読み取られた原稿は、原稿および印刷用紙配置用部材５０１の下側に排出される。
【００６１】
画像形成部制御回路５０８は、ＵＳＢ規格の回線やＬＡＮ回線等を介して、端末（例えば、パーソナルコンピュータ）から送られてくる画像データを装置内に取り込む機能も備える。取り込んだ画像データに基づき、画像形成部制御回路５０８は、画像形成部５１０を制御し、印刷用紙上に画像を形成する（つまり印刷を行う）。ＦＡＸ送受信部５０９は、通信回線から受けたＦＡＸの画像データを受信し、それを画像形成部制御回路５０８に送る。また、ＦＡＸ送受信部５０９は、ＣＣＤ５０６が読み取った原稿の画像データを他のＦＡＸ装置に通信回線を介して送信する。
【００６２】
画像形成部５１０は、例えば電子写真方式のもので、感光体ドラム５１１、現像機５１２、露光用走査装置５１３、転写ベルト５１４、転写ロール５１５および５１６を備えている。感光体ドラム５１１には、その回転時にレーザ照射装置と光学系を備えた露光用走査装置５１３から走査光が当てられ、その表面に静電潜像が形成される。この静電潜像の電荷の分布状態に応じて、現像機５１２からトナーが供給され、感光体ドラム５１１上にトナー像が形成される。このトナー像は、転写ベルト５１４に転写され、転写ベルト５１４の巡回によって、転写ロール５１５および５１６の部分に運ばれる。転写ロール５１５は、加熱ヒータを内蔵しており、転写ロール５１５と５１６との間に印刷用紙と転写ベルト５１４とが挟まれることで、転写ベルト５１４上の転写トナー像が、さらに印刷用紙上に転写される。この際、加熱されることで印刷用紙上に転写されたトナー像が印刷用紙上に定着する。こうして、印刷用紙上への所定の画像の印刷（画像の形成）が行われる。印刷が行われた印刷用紙は、用紙排出面５１７上に排出される。
【００６３】
印刷用紙の供給経路は２つある。その一つは、上述した搬送経路５０４である。搬送経路５０４は、原稿および印刷用紙配置用部材５０１上に印刷用紙をセットし、この印刷用紙に印刷を行う場合に利用される。
【００６４】
印刷用紙の供給経路のもう一つは、搬送経路５１８である。搬送経路５１８は、印刷用紙を収めた用紙供給装置５１９から印刷用紙を画像形成部５１０に送る搬送経路である。また、用紙供給装置５１９における用紙の搬送を行う機構として、図１の原稿搬送装置１００と同様の構成を備えた用紙搬送装置６０２を配置してもよい。また、印刷用紙配置用部材５２１と、原稿搬送装置１００と同様な構造の搬送装置６０２とを配置し、印刷用紙配置用部材５２１上に置いた印刷用紙を、搬送装置６０２によって取り込み、転写ロール５１５および５１６の部分に供給する構成としてもよい。
【００６５】
（複写装置の動作例）
複写する原稿が原稿および印刷用紙配置用部材５０１上にセットされ、動作が開始されると、原稿搬送装置６００の働きにより、原稿が１枚ずつ装置内に搬送される。この装置内に搬送された原稿は、搬送経路５０３を搬送され、その際に光学系５０５を介してＣＣＤカメラ５０６によって原稿上の画像が読み取られる。ＣＣＤカメラ５０６によって読み取られた画像は、画像データ作成回路５０７において適当な規格の画像データとされ、画像形成部制御回路５０８に送られる。この画像データを受けた画像形成部制御回路５０８は、画像形成部５１０を制御し、画像の形成動作を行う。この際、画像形成部５１０は、原稿および印刷用紙配置用部材５０１上にセットされた印刷用紙、あるいは用紙供給装置５１９が収納している印刷用紙に対する画像の形成を行う。
【００６６】
（ＦＡＸ装置の動作例：ＦＡＸ送信）
ＦＡＸ送信する原稿が原稿および印刷用紙配置用部材５０１上にセットされ、動作が開始されると、原稿搬送装置６００の働きにより、原稿が１枚ずつ装置内に搬送される。この装置内に搬送された原稿は、搬送経路５０３を搬送され、その際に光学系５０５を介してＣＣＤカメラ５０６によって原稿上の画像が読み取られる。ＣＣＤカメラ５０６によって読み取られた画像は、画像データ作成回路５０７で適当な規格の画像データとされ、ＦＡＸ送受信部５０９に送られる。この画像データは、ＦＡＸ送受信部５０９においてＦＡＸの通信規格のデータに変換され、ＦＡＸ送受信部５０９から通信回線を介して、相手側のＦＡＸ装置に送信される。
【００６７】
（ＦＡＸ装置の動作例：ＦＡＸ受信）
ＦＡＸ送受信部５０９がＦＡＸ信号を受信すると、その画像データが画像形成部制御回路５０８に送られる。このＦＡＸの画像データを受けた画像形成部制御回路５０８は、画像形成部５１０を制御し、画像の形成動作を行う。この際、画像形成部５１０は、原稿および印刷用紙配置用部材５０１上にセットされた印刷用紙、あるいは用紙供給装置５１９が収納している印刷用紙に対する画像の形成を行う。
【００６８】
（印刷装置の動作例）
図示しない端末から図示省略した回線を介して、画像データが複合機５００に向かって送信されると、その画像データは、画像形成部制御回路５０８で受信される。画像形成部制御回路５０８は、受け取った画像データに基づいて、画像形成部５１０を制御する。この制御を受けて、画像形成部５１０は、原稿および印刷用紙配置用部材５０１上にセットされた印刷用紙、あるいは用紙供給装置５１９が収納している印刷用紙に対する画像の形成を行う。
【産業上の利用可能性】
【００６９】
本発明は、画像読み取り装置、複写装置、印刷装置、ＦＡＸ装置等の画像処理装置に用いられるシート搬送装置に利用することができる。
【図面の簡単な説明】
【００７０】
【図１】発明を利用した原稿搬送装置の概要を示す斜視図である。
【図２】画像読み取り装置の原稿搬送装置を備えた部分を拡大した概念図である。
【図３】画像読み取り装置の一例を示す概念図である。
【図４】画像処理装置の一例を示す概念図である。
【符号の説明】
【００７１】
１００…原稿搬送装置、１０１…原稿セット面、１０２…フレーム、１０３…トルクリミッタ、１０４…駆動軸、１０５…原稿搬送ロール、１０６…伝達ギア、１０７…伝達ギア、１０８…伝達ギア、１０９…回転軸、１１０…伝達ギア、１１１…送り込みロール、１２１…ワンウェイクラッチ、１２２…ワンウェイクラッチ、１３０…回転防止部材、１３１…アーム部、１４０…回転防止部材、１４１…アーム部、１５０…規制部材、１５１…規制片、１５２…円周、１５３…壁部、１５４…軸、１６０…規制部材、２００…画像読み取り装置、２０１…筐体、２０２…筐体側フレーム、２０３…パッド、３００…原稿束、３０１…送り込まれた原稿。
【図１】
2009280343.tif 000003
【図２】
2009280343.tif 000004
【図３】
2009280343.tif 000005
【図４】
2009280343.tif 000006